(57)【特許請求の範囲】
【請求項１】
水平面との成す角度が互いに異なる状態で延在する２本の笠木を相互に連結可能な傾斜継手と、平面視において互いに異なる方向に延在する２本の笠木を相互に連結可能なコーナー継手とを備えた笠木の連結装置であって、
前記笠木のそれぞれは、長手に直交する端面において下方部に支持台部を有するとともに、上方部に前記支持台部よりも幅の広い手摺り部を有し、左右が対称形状となるように構成したものであり、
前記傾斜継手は、前記笠木の長手に直交する方向に沿った接続ピン部材を介して相互に傾動可能に接続した２つの笠木保持部材を備えたものであり、少なくとも前記笠木保持部材の一方に前記笠木の端部を収容した状態で当該笠木に接続する収容接続部を有し、かつ前記接続ピン部材が前記笠木の手摺り部に対応する高さ位置に設けられ、
一方の端部に前記コーナー継手を接続した笠木の他方の端部に、前記収容接続部を介して接続した前記傾斜継手を備えることを特徴とする笠木の連結装置。
【請求項２】
前記傾斜継手は、前記２つの笠木保持部材にそれぞれ前記収容接続部が設けられていることを特徴とする請求項１に記載の笠木の連結装置。
【請求項３】
前記笠木は、両端面が開口した中空状を成すものであり、
前記コーナー継手は、２本の笠木を９０°の交差角度となるように連結するものであり、前記笠木を接続する部分のそれぞれに前記笠木の端面から中空部分に挿入可能となる挿入支持部を有したことを特徴とする請求項１に記載の笠木の連結装置。
【請求項４】
前記コーナー継手は、前記挿入支持部の周囲となる部位に前記笠木の端部を収容する収容凹部を有したことを特徴とする請求項３に記載の笠木の連結装置。
【発明の詳細な説明】
【技術分野】
【０００１】
本発明は、笠木の連結装置に関するものである。
【背景技術】
【０００２】
フェンスの上縁部分や手摺りにおいては、笠木を傾斜継手やコーナー継手を用いて連結することにより、設置場所の形状に沿って笠木を配設するようにしている。例えば、水平な床面から坂や階段等のように傾斜した床面に続く場所においては、傾斜継手を適用することにより、水平に延在した笠木と床面の傾斜に沿って延在した笠木との間を連結することが可能となる。また、曲がった通路においては、コーナー継手を適用することにより、長手に沿った鉛直面が互いに交差するように延在する２本の笠木の間を連結することが可能となる。
【０００３】
ここで、笠木を設置する場所としては、例えば踊り場のように、曲がった先の通路の床面が傾斜している等々、笠木の交差と傾斜とがほぼ同位置となる状況もある。こうした状況に対応すべく従来においては、例えば特許文献１や特許文献２に記載されているような専用の連結装置も提供されている。
【先行技術文献】
【特許文献】
【０００４】
【特許文献１】特開２００５−１８８１１４号公報
【特許文献２】特開２０１１−１４９２５２号公報
【発明の概要】
【発明が解決しようとする課題】
【０００５】
しかしながら、特許文献１や特許文献２に記載された連結装置は、構成が複雑であり、製造コストが増大するのは否めない。また、笠木の設置場所に応じて専用の連結装置を用意した場合には、取り扱い部品点数が増大することに起因して種々の問題を招来するおそれもある。
【０００６】
本発明は、上記実情に鑑みて、製造コストが増大したり、取り扱い部品点数が増大する事態を招来することなく、交差と傾斜とがほぼ同位置となる状況においても笠木を連結することのできる装置を提供することを目的とする。
【課題を解決するための手段】
【０００７】
上記目的を達成するため、本発明に係る笠木の連結装置は、水平面との成す角度が互いに異なる状態で延在する２本の笠木を相互に連結可能な傾斜継手と、平面視において互いに異なる方向に延在する２本の笠木を相互に連結可能なコーナー継手とを備えた笠木の連結装置であって、前記笠木のそれぞれは、長手に直交する端面において下方部に支持台部を有するとともに、上方部に前記支持台部よりも幅の広い手摺り部を有し、左右が対称形状となるように構成したものであり、前記傾斜継手は、前記笠木の長手に直交する方向に沿った接続ピン部材を介して相互に傾動可能に接続した２つの笠木保持部材を備えたものであり、少なくとも前記笠木保持部材の一方に前記笠木の端部を収容した状態で当該笠木に接続する収容接続部を有し、かつ前記接続ピン部材が前記笠木の手摺り部に対応する高さ位置に設けられ、一方の端部に前記コーナー継手を接続した笠木の他方の端部に、前記収容接続部を介して接続した前記傾斜継手を備えることを特徴とする。
【０００８】
この発明によれば、笠木によって傾斜継手とコーナー継手とを連結することにより、交差と傾斜とがほぼ同位置となる状況であっても新たな継手を用意することなく笠木を配設することが可能となる。しかも、傾斜継手として収容接続部を有したものを適用しているため、傾斜継手とコーナー継手とを最短距離で連結することができ、手摺りとしての使い勝手や外観品質が損なわれるおそれもない。
【０００９】
また本発明は、上述した笠木の連結装置において、前記傾斜継手は、前記２つの笠木保持部材にそれぞれ前記収容接続部が設けられていることを特徴とする。
【００１０】
この発明によれば、笠木保持部材の傾動角度を変更することにより、傾斜角度が異なる笠木を連結することが可能となる。
【００１１】
また本発明は、上述した笠木の連結装置において、前記笠木は、両端面が開口した中空状を成すものであり、前記コーナー継手は、２本の笠木を９０°の交差角度となるように連結するものであり、前記笠木を接続する部分のそれぞれに前記笠木の端面から中空部分に挿入可能となる挿入支持部を有したことを特徴とする。
【００１２】
この発明によれば、コーナー継手に設けた挿入支持部を傾斜継手の収容接続部に配置することが可能となり、コーナー継手と傾斜継手との連結強度を向上することができる。
【００１３】
また本発明は、上述した笠木の連結装置において、前記コーナー継手は、前記挿入支持部の周囲となる部位に前記笠木の端部を収容する収容凹部を有したことを特徴とする。
【００１４】
この発明によれば、傾斜継手とコーナー継手との間を連結する笠木を収容接続部及び収容凹部に収容させることで笠木の外部への露出を減らすことができる。
【００１６】
この発明によれば、笠木が左右対称形状であるため、傾斜継手及びコーナー継手をそれぞれ１種類用意すれば、笠木の両端部に共通して適用することが可能となる。
【発明の効果】
【００１７】
本発明によれば、笠木によって傾斜継手とコーナー継手とを連結することにより、交差と傾斜とがほぼ同位置となる状況であっても新たな継手を用意することなく笠木を配設することが可能となる。しかも、傾斜継手として収容接続部を有したものを適用しているため、傾斜継手とコーナー継手とを最短距離で連結することができ、手摺りとしての使い勝手や外観品質が損なわれるおそれもない。
【図面の簡単な説明】
【００１８】
【図１】図１は、本発明の実施の形態である笠木の連結装置を適用した手摺りの要部を示す斜視図である。
【図２】図２は、図１に示した手摺りの分解斜視図である。
【図３】図３は、図１に示した手摺りの側面一部破断図である。
【図４】図４は、図１に示した手摺りの平面図である。
【図５】図５は、図１に示した手摺りに適用する笠木の拡大端面図である。
【図６】図６は、図１に示した手摺りの要部を示す拡大断面図である。
【図７】図７は、図１に示した手摺りの要部を示す拡大分解平面図である。
【図８】図８は、図１に示した手摺りに適用する傾斜継手の分解斜視図である。
【図９】図９は、図８に示した傾斜継手の収容接続部を示す拡大端面図である。
【発明を実施するための形態】
【００１９】
以下、添付図面を参照しながら本発明に係る笠木の連結装置の好適な実施の形態について詳細に説明する。
図１〜図４は、本発明の実施の形態である笠木の連結装置を適用して構成した手摺りを示したものである。ここで例示する手摺りは、低所の水平部分から斜め上方に傾斜（１５°程度）した後、水平となった状態で奥方に向けて９０°曲がるように笠木１０を配設したものである。
【００２０】
笠木１０は、アルミニウム合金等の金属によって成形した中空状の押し出し形材であり、長手方向の全長にわたってほぼ一様な断面形状を有している。ここで、笠木１０の長手とは、図３及び図４中の矢印Ａで示すように、成形時の押し出し方向に一致する方向である。なお、笠木１０の切断長さによっては、長手に直交する方向の寸法が長手の寸法よりも大きくなる場合があるが、寸法の長短に関わらず押し出しに沿った方向を常に長手とする。
【００２１】
本実施の形態では、図５に示すように、長手に直交する端面において、下方部に支持台部１０Ａを有するとともに、上方部に手摺り部１０Ｂを有し、左右が対称形状となるように構成した笠木１０を例示している。
【００２２】
支持台部１０Ａは、下方底壁部１０Ａ１と、下方底壁部１０Ａ１の両側からそれぞれ上方に延在した下方側壁部１０Ａ２とを有したものである。下方底壁部１０Ａ１の下端面中央部には、係合用溝１０Ａ３が設けてある。係合用溝１０Ａ３は、下方に向けて開口する凹所であり、両側内壁面の互いに対向する部位に係合突条１０Ａ４を有している。係合突条１０Ａ４は、平坦な薄板状部分であり、互いの先端面間に隙間を確保した状態で下方底壁部１０Ａ１とほぼ平行となるように突設してある。この係合用溝１０Ａ３には、図３に示すように、ナットプレート２０を介して柱用ブラケット２１を取り付けることが可能である。図には明示していないが、柱用ブラケット２１及びナットプレート２０は、それぞれ２つの係合突条１０Ａ４の間にわたる幅を有したものである。これら柱用ブラケット２１及びナットプレート２０は、互いの間に係合突条１０Ａ４を挟持した状態で、柱用ブラケット２１のネジ挿通孔２１ａを介してナットプレート２０のネジ孔２０ａに取付ネジ２２を螺合することにより、笠木１０の長手に沿った任意の位置に固定することができる。柱用ブラケット２１の下端部には、床面から立設した支持柱２３の上端部を傾動可能に接続することが可能である。
【００２３】
手摺り部１０Ｂは、図５に示すように、下方側壁部１０Ａ２の延在端部からそれぞれ互いに離反する方向に延在した上方底壁部１０Ｂ１と、個々の上方底壁部１０Ｂ１の延在端部からそれぞれ上方に延在した上方側壁部１０Ｂ２と、上方側壁部１０Ｂ２の延在端部を互いに連結するように設けた上壁部１０Ｂ３とを有したものである。上方底壁部１０Ｂ１は、下方底壁部１０Ａ１とほぼ平行となるように延在し、上方側壁部１０Ｂ２は、下方側壁部１０Ａ２とほぼ平行となるように延在している。上壁部１０Ｂ３は、上方に向けて凸となるようにわずかに湾曲している。
【００２４】
図３、図４、図６、図７に示すように、上述の手摺りにおいて、２本の笠木１０を９０°の交差角度で連結する部分にはコーナー継手３０が設けてあり、傾斜して延在する笠木１０の両端部にはそれぞれ傾斜継手４０が設けてある。
【００２５】
コーナー継手３０は、断面が矩形の柱状を成すもので、樹脂によって成形してある。このコーナー継手３０には、隣接する２つの側面にそれぞれ収容凹部３１及び挿入支持部３２が設けてある。収容凹部３１は、コーナー継手３０の側面にそれぞれ笠木１０の上壁部１０Ｂ３、上方側壁部１０Ｂ２、上方底壁部１０Ｂ１及び下方側壁部１０Ａ２を覆うように連続した周壁３１ａを設けることによって構成した凹所である。収容凹部３１の下面は開放した状態にある。挿入支持部３２は、収容凹部３１に笠木１０の端部を収容させた場合に笠木１０の端面からその中空部分に挿入される部分である。この挿入支持部３２は、笠木１０の上壁部１０Ｂ３、上方側壁部１０Ｂ２、上方底壁部１０Ｂ１、下方側壁部１０Ａ２及び下方底壁部１０Ａ１の内壁面に同時に当接することができるように形状及び寸法が設定してある。図からも明らかなように、挿入支持部３２の突出寸法は、収容凹部３１を構成する周壁３１ａの突出寸法に比較して大きく設定してある。
【００２６】
コーナー継手３０の底面には、支持プレート５０を介してコーナー支持柱５１が取り付けてある。コーナー支持柱５１は、断面が正方形の角筒状を成すもので、笠木１０と同様、アルミニウム合金等の金属によって押し出し成形してある。コーナー支持柱５１の一辺の寸法は、コーナー継手３０の一辺よりも短い長さに形成してある。
【００２７】
支持プレート５０は、コーナー継手３０をコーナー支持柱５１に固定するとともに、笠木１０をコーナー継手３０に固定するための機能を有したもので、ステンレス等の金属によって成形してある。本実施の形態では、平板状を成す基板部５０ａと、基板部５０ａから下方に屈曲した２つの連結板部５０ｂとを一体に成形した支持プレート５０を例示している。
【００２８】
基板部５０ａは、図２及び図４に示すように、２つの固定プレート部５０ａ１が互いに直角となる方向に向けて延在した平面視Ｌ字状の平板状部材である。この基板部５０ａは、それぞれの固定プレート部５０ａ１の先端部が挿入支持部３２の突出端面からわずかずつ突出した状態でコーナー継手３０の底面にネジ止めしてある。固定プレート部５０ａ１において挿入支持部３２の下面に対向する部位には、ネジ挿通孔５０ｃが設けてある。ネジ挿通孔５０ｃは、挿入支持部３２に笠木１０を挿通させた場合に、下方底壁部１０Ａ１に対応した２カ所に形成してある。
【００２９】
連結板部５０ｂは、基板部５０ａにおいて出隅となる部分の外側縁部２カ所からそれぞれ下方に向けて突出するように屈曲した部分である。それぞれの連結板部５０ｂには、先端にネジ孔５０ｄが設けてある。これら連結板部５０ｂは、基板部５０ａの基端部分をコーナー支持柱５１の上端面に当接して上端開口を閉塞した場合にそれぞれコーナー支持柱５１の筒内部に挿入されて２つの内壁面に当接することが可能である。従って、コーナー支持柱５１に設けたネジ挿通孔５１ａを介して連結板部５０ｂのネジ孔５０ｄに取付ネジ５２を螺合すれば、支持プレート５０を介してコーナー継手３０をコーナー支持柱５１の上端に取り付けることが可能である。
【００３０】
上記のように構成したコーナー継手３０では、挿入支持部３２を中空部分に挿入する状態で笠木１０の端部を収容凹部３１に挿入させれば、挿入支持部３２が笠木１０の上壁部１０Ｂ３、上方側壁部１０Ｂ２、上方底壁部１０Ｂ１、下方側壁部１０Ａ２及び下方底壁部１０Ａ１の内壁面に同時に当接するとともに、収容凹部３１の周壁３１ａが笠木１０の上壁部１０Ｂ３、上方側壁部１０Ｂ２、上方底壁部１０Ｂ１及び下方側壁部１０Ａ２に当接することになる。またこのとき、コーナー継手３０の下面に設けた支持プレート５０は、固定プレート部５０ａ１の上面が笠木１０の下方底壁部１０Ａ１に当接した状態となる。従って、この状態からネジ挿通孔５０ｃを介して笠木１０に連結ネジ５３を螺合させれば、コーナー継手３０に対して笠木１０をガタ付くことなく接続することが可能となる。
【００３１】
傾斜継手４０は、図１、図２、図６、図８、図９に示すように、接続ピン部材４５を介して相互に傾動可能に接続した２つの笠木保持部材４１を備えたものである。２つの笠木保持部材４１は、同一の形状を有したものである。本実施の形態では、例えばアルミニウム合金を材料としたダイカスト成形により、継手主部４１Ａ及び傾動連結部４１Ｂを一体成形した笠木保持部材４１を適用している。
【００３２】
継手主部４１Ａは、笠木１０よりも一回り大きな外形形状を有したブロック部材であり、一方の端面に収容接続部４２を有している。収容接続部４２は、上周壁部４２ａ、上方側周壁部４２ｂ、上方底周壁部４２ｃ、下方側周壁部４２ｄ及び下方底周壁部４２ｅによって囲まれた凹状部分である。図９に示すように、収容接続部４２を構成する上周壁部４２ａ、上方側周壁部４２ｂ、上方底周壁部４２ｃ、下方側周壁部４２ｄ及び下方底周壁部４２ｅは、笠木１０の上壁部１０Ｂ３、上方側壁部１０Ｂ２、上方底壁部１０Ｂ１、下方側壁部１０Ａ２及び下方底壁部１０Ａ１に対応して構成したものであり、笠木１０の端部を嵌合した状態で収容することが可能である。収容接続部４２の奥行き深さは、コーナー継手３０において挿入支持部３２の突出寸法とほぼ同じとなるように設定してある。収容接続部４２の下方底周壁部４２ｅには、笠木１０の下方底壁部１０Ａ１に対応した２カ所にネジ挿通孔４２ｆが形成してある。
【００３３】
傾動連結部４１Ｂは、継手主部４１Ａの他方の端面から突出した円柱状部分である。この傾動連結部４１Ｂは、円柱の軸芯が、収容接続部４２に笠木１０の端部を収容した状態において笠木１０の長手に直交し、かつ手摺り部１０Ｂに対応する高さ位置において下方底周壁部４２ｅとほぼ平行に延在するように設けてある。傾動連結部４１Ｂの位置は、笠木１０を左右に二等分する鉛直面よりも一方側、本実施の形態では収容接続部４２の開口から見て右側に偏って設けてある。傾動連結部４１Ｂの軸芯部分には、ピン挿通孔４３が貫設してある。ピン挿通孔４３の端部は、接続ピン部材４５の頭部４５ａ及びナット部材４６を収容するために六角形状に構成してある。
【００３４】
上述の構成を有した笠木保持部材４１は、他方の端面を対向させて２つの継手主部４１Ａの配置した場合に、図４及び図７に示すように、傾動連結部４１Ｂのピン挿通孔４３が互いに同一の軸芯上に配置されることになる。従って、これらのピン挿通孔４３に接続ピン部材４５を貫通させて接続ピン部材４５の貫通端部にナット部材４６を螺合させれば、接続ピン部材４５の軸芯を中心として互いに傾動可能となる２つの笠木保持部材４１を備えた傾斜継手４０を構成することができる。
【００３５】
上述のコーナー継手３０及び傾斜継手４０を適用して図３及び図４に示すような手摺りを構成するには、まず、連結用の笠木（以下、連結笠木１０Ｃという）を用意し、連結笠木１０Ｃを介してコーナー継手３０と傾斜継手４０とを互いに連結する。連結笠木１０Ｃは、中空部分にコーナー継手３０の挿入支持部３２を挿通させ、かつ一方の端部を収容凹部３１に収容させた場合に、他方の端面が支持プレート５０における基板部５０ａの先端面とほぼ同じ位置となるように長手の寸法を設定したものである。
【００３６】
従って、上述の状態から連結笠木１０Ｃを傾斜継手４０の収容接続部４２に挿入した場合には、連結笠木１０Ｃの全長にわたる部分が収容接続部４２に収容されることになる。この状態において下方底周壁部４２ｅのネジ挿通孔４２ｆ及び支持プレート５０の固定プレート部５０ａ１に設けたネジ挿通孔５０ｃを通じて連結笠木１０Ｃに連結ネジ５３を螺合させれば、コーナー継手３０と傾斜継手４０とを互いに連結することができる。つまり、コーナー継手３０に設けた収容凹部３１の周壁３１ａと傾斜継手４０に設けた収容接続部４２の端面とが互いに当接した状態でコーナー継手３０及び傾斜継手４０を互いに連結することが可能となる。
【００３７】
その後、コーナー継手３０の他方の挿入支持部３２には、所望の長さを有した笠木１０を挿通させて接続する。コーナー継手３０に連結した傾斜継手４０の他方の収容接続部４２には、所望の長さを有した笠木１０を接続し、さらにこの笠木１０の端部に傾斜継手４０を介して笠木１０を接続すれば、低所の水平部分から斜め上方に傾斜した後、水平となった状態で奥方に向けて９０°曲がるように笠木１０を配設することが可能となる。
【００３８】
ここで、上述したように、この連結装置では、それぞれ単独で用いることが可能なコーナー継手３０と傾斜継手４０とを互いに連結することで、斜め上方に傾斜した後、水平となった状態で奥方に向けて９０°曲がるように笠木１０を配設することが可能となる。従って、新たに専用の継手を要しないため、製造コストが増大したり、取り扱い部品点数が増大する事態を招来することがない。特に、本実施の形態では、左右が対称形状となる笠木１０を連結対象とし、かつ同一の形状を有した笠木保持部材４１を接続ピン部材４５によって連結して傾斜継手４０を構成しているため、部品の共用化によって部品点数をさらに削減することが可能である。
【００３９】
しかも、傾斜継手４０として収容接続部４２を有したものを適用しているため、傾斜継手４０とコーナー継手３０とを直接当接させた状態で連結することができる。これにより、笠木１０の交差と傾斜とがほぼ同位置となる状況にも対応することが可能となり、手摺りとしての使い勝手が損なわれることはない。また、傾斜継手４０とコーナー継手３０との間に連結笠木１０Ｃが外部に現れることがないため、外観品質が損なわれることもない。
【００４０】
なお、上述した実施の形態で記載した笠木１０の配置はあくまでも例示のためであって、その他の形状となるように笠木１０を配置してももちろん良い。また、適用する笠木１０の形状も本実施のものに限らず、左右対称形状である必要もない。さらに、支持柱５１，２３の上端部に架設するように笠木１０を配設した手摺りを例示しているが、例えば支持柱５１，２３の間に横桟を設けることでフェンスを構成するようにしても良い。またさらに、笠木１０は必ずしも支持柱５１，２３に架設する必要はなく、例えば壁面から支持ブラケットを複数突設し、これら支持ブラケットの間に架設するように笠木を配設するようにしても構わない。
【００４１】
また、上述した実施の形態では、挿入支持部３２を備えたコーナー継手３０を例示し、挿入支持部３２を介して傾斜継手４０との間を連結するようにしているため、笠木１０との接続強度の点で有利となるが、コーナー継手３０としては収容凹部３１があれば必ずしも挿入支持部３２を設ける必要はない。
【符号の説明】
【００４２】
１０  笠木、１０Ａ  支持台部、１０Ｂ  手摺り部、１０Ｃ  連結笠木、３０  コーナー継手、３１  収容凹部、３２  挿入支持部、４０  傾斜継手、４１  笠木保持部材、４２  収容接続部、４５  接続ピン部材
【図１】
0006754205.tif 000002
【図２】
0006754205.tif 000003
【図３】
0006754205.tif 000004
【図４】
0006754205.tif 000005
【図５】
0006754205.tif 000006
【図６】
0006754205.tif 000007
【図７】
0006754205.tif 000008
【図８】
0006754205.tif 000009
【図９】
0006754205.tif 000010